(57)【要約】      （修正有）【課題】ハウジングに対するカバーの端部の位置を、複数の位置のそれぞれで保持することが可能な技術を提供する。【解決手段】グラインダ４は、原動機と、原動機に接続される動力伝達機構と、原動機および動力伝達機構を収容するハウジング４８と、動力伝達機構に接続されており、ダイヤモンドカップ６を保持するスピンドル３２と、スピンドルの少なくとも一部を覆うように、ハウジングに取り付けられる集塵カバー２を備えている。集塵カバーは、スピンドルの回転軸に沿った方向に関して、ハウジングに対するカバーの端部の位置を、第１位置と、前記第１位置とは異なる第２位置で保持可能な端部位置調整機構６８を備える。【選択図】図６
2020023020.tif 000002
【特許請求の範囲】
【請求項１】
原動機と、
前記原動機に接続される動力伝達機構と、
前記原動機および前記動力伝達機構を収容するハウジングと、
前記動力伝達機構に接続されており、先端工具を保持する先端工具保持部と、
前記先端工具保持部の少なくとも一部を覆うように、前記ハウジングに取り付けられるカバーを備えており、
前記カバーが、
前記先端工具保持部の回転軸に沿った方向に関して、前記ハウジングに対する前記カバーの端部の位置を、第１位置と、前記第１位置とは異なる第２位置で保持可能な端部位置調整機構を備える工具。
【請求項２】
前記端部位置調整機構が、雄ねじと、前記雄ねじに対応する雌ねじを備えており、前記雄ねじと前記雌ねじを相対的に回転させることで、前記ハウジングに対する前記カバーの前記端部の位置を変更可能である、請求項１の工具。
【請求項３】
前記カバーが、
前記ハウジングに取り付けられるバンドと、
前記先端工具保持部の前記少なくとも一部を覆うカバー本体をさらに備えており、
前記端部位置調整機構が、前記バンドと前記カバー本体の間に介在している、請求項２の工具。
【請求項４】
前記カバーが、前記バンドおよび前記カバー本体に対して前記先端工具保持部の前記回転軸周りに回転可能であって、前記先端工具保持部の前記回転軸に沿った方向に関して、前記カバー本体と一体的に移動する操作部材をさらに備えており、
前記端部位置調整機構が、前記バンドと前記操作部材の間に介在している、請求項３の工具。
【請求項５】
前記カバーが、
前記ハウジングに取り付けられるバンドと、
前記先端工具保持部の前記少なくとも一部を覆うカバー本体と、
前記カバー本体に対して前記先端工具保持部の前記回転軸周りに回転可能なブラシをさらに備えており、
前記端部位置調整機構が、前記カバー本体と前記ブラシの間に介在している、請求項２の工具。
【請求項６】
前記端部位置調整機構が、前記先端工具保持部の前記回転軸に沿った方向に伸縮可能な伸縮機構であって、
前記カバーが、
前記ハウジングに取り付けられるバンドと、
前記先端工具保持部の前記少なくとも一部を覆うカバー本体と、
前記伸縮機構を介して前記カバー本体に取り付けられるブラシをさらに備えている、請求項１の工具。
【請求項７】
原動機と、前記原動機に接続される動力伝達機構と、前記原動機および前記動力伝達機構を収容するハウジングと、前記動力伝達機構に接続されており、先端工具を保持する先端工具保持部を備える工具において、前記先端工具保持部の少なくとも一部を覆うように、前記ハウジングに取り付けられるカバーであって、
前記先端工具保持部の回転軸に沿った方向に関して、前記ハウジングに対する前記カバーの端部の位置を、第１位置と、前記第１位置とは異なる第２位置で保持可能な端部位置調整機構を備えるカバー。
【発明の詳細な説明】
【技術分野】
【０００１】
本明細書で開示する技術は、工具およびカバーに関する。
【背景技術】
【０００２】
特許文献１には、原動機と、前記原動機に接続される動力伝達機構と、前記原動機および前記動力伝達機構を収容するハウジングと、前記動力伝達機構に接続されており、先端工具を保持する先端工具保持部と、前記先端工具の少なくとも一部を覆うカバーを備える工具が開示されている。この工具では、カバーの端部を構成するリング部がばねによって保持されており、カバーの端部に外力が作用すると、先端工具保持部の回転軸に沿った方向に関して、ハウジングに対するカバーの端部の位置が変化する。
【先行技術文献】
【特許文献】
【０００３】
【特許文献１】特開２０１２−１７１０６４号公報
【発明の概要】
【発明が解決しようとする課題】
【０００４】
複数種類の先端工具を先端工具保持部に取り付け可能な工具においては、ハウジングに対するカバーの端部の位置を、先端工具保持部に取り付ける先端工具に応じた位置で保持できることが好ましい。特許文献１の技術では、カバーに外力を作用させることでカバーの端部の位置を変更することはできるものの、カバーの端部の位置を変更後の位置に維持するためには、同じ外力をカバーに作用させ続けなければならない。本明細書では、ハウジングに対するカバーの端部の位置を、複数の位置のそれぞれで保持することが可能な技術を提供する。
【課題を解決するための手段】
【０００５】
本明細書は工具を開示する。前記工具は、原動機と、前記原動機に接続される動力伝達機構と、前記原動機および前記動力伝達機構を収容するハウジングと、前記動力伝達機構に接続されており、先端工具を保持する先端工具保持部と、前記先端工具保持部の少なくとも一部を覆うように、前記ハウジングに取り付けられるカバーを備えていてもよい。前記カバーは、前記先端工具保持部の回転軸に沿った方向に関して、前記ハウジングに対する前記カバーの端部の位置を、第１位置と、前記第１位置とは異なる第２位置で保持可能な端部位置調整機構を備えていてもよい。
【０００６】
本明細書はカバーも開示する。前記カバーは、原動機と、前記原動機に接続される動力伝達機構と、前記原動機および前記動力伝達機構を収容するハウジングと、前記動力伝達機構に接続されており、先端工具を保持する先端工具保持部を備える工具において、前記先端工具保持部の少なくとも一部を覆うように、前記ハウジングに取り付けられてもよい。前記カバーは、前記先端工具保持部の回転軸に沿った方向に関して、前記ハウジングに対する前記カバーの端部の位置を、第１位置と、前記第１位置とは異なる第２位置で保持可能な端部位置調整機構を備えていてもよい。
【０００７】
上記の工具やカバーによれば、カバーが端部位置調整機構を備えているので、ハウジングに対するカバーの端部の位置を、第１位置と第２位置の何れでも保持することができる。
【図面の簡単な説明】
【０００８】
【図１】実施例１の集塵カバー２を取り付けたグラインダ４を前方左方上方から見た斜視図である。
【図２】実施例１の集塵カバー２を取り付けたグラインダ４の縦断面図である。
【図３】実施例１の集塵カバー２の斜視図である。
【図４】実施例１の集塵カバー２の分解斜視図である。
【図５】実施例１の集塵カバー２を取り付けたグラインダ４において、可動カバー５６を上方に移動させた状態での、前方の部分の縦断面図である。
【図６】実施例１の集塵カバー２を取り付けたグラインダ４において、可動カバー５６を下方に移動させた状態での、前方の部分の縦断面図である。
【図７】実施例２の集塵カバー１０２を取り付けたグラインダ４を前方右方上方から見た斜視図である。
【図８】実施例２の集塵カバー１０２の分解斜視図である。
【図９】実施例２の集塵カバー１０２を取り付けたグラインダ４において、可動ブラシ１０８を上方に移動させた状態での、前方の部分の縦断面図である。
【図１０】実施例２の集塵カバー１０２を取り付けたグラインダ４において、可動ブラシ１０８を下方に移動させた状態での、前方の部分の縦断面図である。
【図１１】実施例３の集塵カバー２０２を取り付けたグラインダ４を前方左方上方から見た斜視図である。
【図１２】実施例３の集塵カバー２０２の分解斜視図である。
【図１３】実施例３の集塵カバー２０２を取り付けたグラインダ４において、可動ベース２０６および可動カバー２０８を上方に移動させた状態での、前方の部分の縦断面図である。
【図１４】実施例３の集塵カバー２０２を取り付けたグラインダ４において、可動ベース２０６および可動カバー２０８を下方に移動させた状態での、前方の部分の縦断面図である。
【図１５】実施例４の集塵カバー３０２を取り付けたグラインダ４を前方左方上方から見た斜視図である。
【図１６】実施例４の集塵カバー３０２の斜視図である。
【図１７】実施例４の集塵カバー３０２を取り付けたグラインダ４において、伸縮筒３１２を伸ばした状態での、前方の部分の縦断面図である。
【図１８】実施例４の集塵カバー３０２を取り付けたグラインダ４において、伸縮筒３１２を縮めた状態での、前方の部分の縦断面図である。
【発明を実施するための形態】
【０００９】
１つまたはそれ以上の実施形態において、工具は、原動機と、前記原動機に接続される動力伝達機構と、前記原動機および前記動力伝達機構を収容するハウジングと、前記動力伝達機構に接続されており、先端工具を保持する先端工具保持部と、前記先端工具保持部の少なくとも一部を覆うように、前記ハウジングに取り付けられるカバーを備えていてもよい。前記カバーは、前記先端工具保持部の回転軸に沿った方向に関して、前記ハウジングに対する前記カバーの端部の位置を、第１位置と、前記第１位置とは異なる第２位置で保持可能な端部位置調整機構を備えていてもよい。
【００１０】
１つまたはそれ以上の実施形態において、カバーは、原動機と、前記原動機に接続される動力伝達機構と、前記原動機および前記動力伝達機構を収容するハウジングと、前記動力伝達機構に接続されており、先端工具を保持する先端工具保持部を備える工具において、前記先端工具保持部の少なくとも一部を覆うように、前記ハウジングに取り付けられてもよい。前記カバーは、前記先端工具保持部の回転軸に沿った方向に関して、前記ハウジングに対する前記カバーの端部の位置を、第１位置と、前記第１位置とは異なる第２位置で保持可能な端部位置調整機構を備えていてもよい。
【００１１】
上記の工具やカバーによれば、カバーが端部位置調整機構を備えているので、ハウジングに対するカバーの端部の位置を、第１位置と第２位置の何れでも保持することができる。
【００１２】
１つまたはそれ以上の実施形態において、前記端部位置調整機構は、雄ねじと、前記雄ねじに対応する雌ねじを備えていてもよい。前記工具では、前記雄ねじと前記雌ねじを相対的に回転させることで、前記ハウジングに対する前記カバーの前記端部の位置を変更可能であってもよい。
【００１３】
上記の構成によれば、簡素な構成の端部位置調整機構によって、ハウジングに対するカバーの端部の位置を第１位置と第２位置のそれぞれで保持することができる。
【００１４】
１つまたはそれ以上の実施形態において、前記カバーは、前記ハウジングに取り付けられるバンドと、前記先端工具保持部の前記少なくとも一部を覆うカバー本体をさらに備えていてもよい。前記端部位置調整機構は、前記バンドと前記カバー本体の間に介在していてもよい。
【００１５】
上記の構成によれば、カバーの端部の近傍の構造を複雑化することなく、ハウジングに対するカバーの端部の位置を第１位置と第２位置のそれぞれで保持可能な端部位置調整機構を実現することができる。
【００１６】
１つまたはそれ以上の実施形態において、前記カバーは、前記バンドおよび前記カバー本体に対して前記先端工具保持部の前記回転軸周りに回転可能であって、前記先端工具保持部の前記回転軸に沿った方向に関して、前記カバー本体と一体的に移動する操作部材をさらに備えていてもよい。前記端部位置調整機構は、前記バンドと前記操作部材の間に介在していてもよい。
【００１７】
ハウジングに対するカバーの端部の位置を変更する際に、ハウジングに対してカバー本体を回転させる構成では、ハウジングとカバー本体が干渉することがある。上記の構成によれば、ハウジングに対して、カバー本体を回転させることなく、操作部材を回転させることによって、カバーの端部の位置を変更することができる。ハウジングに対するカバーの端部の位置を変更する際に、ハウジングとカバー本体が干渉することを防止することができる。
【００１８】
１つまたはそれ以上の実施形態において、前記カバーは、前記ハウジングに取り付けられるバンドと、前記先端工具保持部の前記少なくとも一部を覆うカバー本体と、前記カバー本体に対して前記先端工具保持部の前記回転軸周りに回転可能なブラシをさらに備えていてもよい。前記端部位置調整機構は、前記カバー本体と前記ブラシの間に介在していてもよい。
【００１９】
上記の構成によれば、カバーのバンド近傍の構造を複雑化することなく、ハウジングに対するカバーの端部の位置を第１位置と第２位置のそれぞれで保持可能な端部位置調整機構を実現することができる。
【００２０】
１つまたはそれ以上の実施形態において、前記端部位置調整機構は、前記先端工具保持部の前記回転軸に沿った方向に伸縮可能な伸縮機構であってもよい。前記カバーは、前記ハウジングに取り付けられるバンドと、前記先端工具保持部の前記少なくとも一部を覆うカバー本体と、前記伸縮機構を介して前記カバー本体に取り付けられるブラシをさらに備えていてもよい。
【００２１】
上記の構成によれば、簡素な構成の端部位置調整機構によって、ハウジングに対するカバーの端部の位置を第１位置と第２位置のそれぞれで保持することができる。
【００２２】
（実施例１）
図１に示すように、本実施例の集塵カバー２は、グラインダ４に取り付けて使用される。グラインダ４は、ダイヤモンドカップ６（図２参照）の回転によって、コンクリート、ブロック、レンガ、石材等のワークの研削を行うことができる。なお、以下の説明では、グラインダ４の長手方向を前後方向といい、ダイヤモンドカップ６の回転軸方向を上下方向といい、前後方向と上下方向に直交する方向を左右方向という。
【００２３】
図２に示すように、グラインダ４は、本体ハウジング８と、ギヤハウジング１０と、ベアリングボックス１２を備えている。
【００２４】
本体ハウジング８の前方内部には、モータ１４が収容されている。モータ１４は、前後方向に伸びる出力軸１６を有している。出力軸１６は、ベアリング１８，２０を介して、本体ハウジング８に回転可能に支持されている。本体ハウジング８の後方内部には、電源回路２２が収容されている。電源回路２２には、外部の電源から電源コード２４を介して電力が供給される。電源回路２２は、ユーザがスイッチ２６（図１等参照）をオンに操作すると、モータ１４に電力を供給し、ユーザがスイッチ２６をオフに操作すると、モータ１４への電力の供給を停止する。モータ１４は、電源回路２２から供給される電力によって、出力軸１６を回転させる。
【００２５】
ギヤハウジング１０は、本体ハウジング８の前方に取り付けられている。ギヤハウジング１０の内部には、互いに噛み合うように配置された第１ベベルギヤ２８と第２ベベルギヤ３０が収容されている。第１ベベルギヤ２８は、出力軸１６の前方端部に固定されている。第２ベベルギヤ３０は、上下方向に伸びるスピンドル３２の上方端部に固定されている。以下では、第１ベベルギヤ２８と第２ベベルギヤ３０を総称して、単にベベルギヤ３４ともいう。ベベルギヤ３４は、モータ１４の回転を減速してスピンドル３２に伝達する減速機構であり、動力伝達機構ということができる。ギヤハウジング１０は、ベアリング３６を介して、スピンドル３２の上方端部を回転可能に支持している。図１に示すように、ギヤハウジング１０の上面には、シャフトロック３８が設けられている。ユーザがシャフトロック３８を下方に押し込むと、第２ベベルギヤ３０の回転が禁止されて、スピンドル３２の回転が禁止される。
【００２６】
図２に示すように、ベアリングボックス１２は、ギヤハウジング１０の下方に取り付けられている。ベアリングボックス１２は、ベアリング４０，４２を介して、スピンドル３２を回転可能に支持している。スピンドル３２は、上下方向に沿った回転軸に関して、ベアリングボックス１２に対して回転可能である。スピンドル３２の下方端部には、インナフランジ４４とアウタフランジ４６を介して、ダイヤモンドカップ６を取り付け可能である。インナフランジ４４は、スピンドル３２に嵌合されている。ダイヤモンドカップ６は、インナフランジ４４の下方からスピンドル３２に取り付けられて、インナフランジ４４に嵌合されている。アウタフランジ４６は、スピンドル３２の下方端部からスピンドル３２に螺着されて、インナフランジ４４との間でダイヤモンドカップ６を挟持する。グラインダ４において、モータ１４が回転すると、スピンドル３２とともにダイヤモンドカップ６が回転軸周りに回転することで、ワークの研削を行うことができる。スピンドル３２は、先端工具であるダイヤモンドカップ６を保持する先端工具保持部ということもできる。なお、以下の説明では、本体ハウジング８、ギヤハウジング１０およびベアリングボックス１２を総称して、単にハウジング４８ともいう。
【００２７】
集塵カバー２は、ベアリングボックス１２に形成された略円筒形状のカバー取り付け部５０に取り付けられている。集塵カバー２は、グラインダ４に取り付けられた時に、ダイヤモンドカップ６の周囲を覆う形状に形成されている。集塵カバー２は、グラインダ４に取り付けられた時に、スピンドル３２の周囲を覆う形状を有しているということもできる。集塵カバー２は、ダイヤモンドカップ６がワークを研削する際に、周囲に切削粉が飛び散ることを防止するとともに、切削粉を集塵機（図示せず）によって収集するために使用される。
【００２８】
図３、図４に示すように、集塵カバー２は、上側ベース５２と、ダイヤル５４と、可動カバー５６と、下側ベース５８を備えている。
【００２９】
上側ベース５２は、バンド６０と、ベースプレート６２を備えている。バンド６０は、帯状の平板を円筒形状に湾曲させた湾曲部６０ａと、湾曲部６０ａの両端から外側に向けて伸びる一対の平板部６０ｂと、一対の平板部６０ｂの間隔を調整する締結具６０ｃを備えている。ベースプレート６２は、略円形状の開口部６２ａを有する略円形状の平板部６２ｂと、開口部６２ａの縁に沿って上方に屈曲する半円筒形状の半円筒部６２ｃを備えている。バンド６０とベースプレート６２は、半円筒部６２ｃの外周面と湾曲部６０ａの内周面を溶接することによって、互いに固定されている。集塵カバー２は、締結具６０ｃを緩めてバンド６０を拡径させた状態で、バンド６０をベアリングボックス１２のカバー取り付け部５０の外周面に取り付け、その後に締結具６０ｃを締めてバンド６０を縮径させることで、ベアリングボックス１２に対して固定される。
【００３０】
図４に示すように、ダイヤル５４は、略円筒形状に形成されている。ダイヤル５４の上部の外周面には、ユーザが指をかけることが可能な形状の複数の凹溝５４ａが、周方向に所定の角度間隔で配置されている。また、ダイヤル５４の下部の内周面には、雌ねじ部５４ｂが形成されている。さらに、ダイヤル５４の上部の内側には、上側ベース５２のベースプレート６２の下面に当接する上側当接部５４ｃが形成されている。ダイヤル５４の下部の外側には、可動カバー５６と当接する下側当接部５４ｄが形成されている。
【００３１】
可動カバー５６は、カバー本体５６ａと、ノズル５６ｂを備えている。カバー本体５６ａとノズル５６ｂは、一体的に形成されている。カバー本体５６ａは、略円形状の開口部５６ｃを有する平板部５６ｄと、平板部５６ｄの外側端部から外側下方に屈曲した円錐台部５６ｅと、円錐台部５６ｅの外側端部から下方に屈曲した略円筒形状の円筒部５６ｆを備えている。平板部５６ｄには、４つのガイド孔５６ｇが形成されている。円筒部５６ｆの下端には、ブラシ（図示せず）を着脱可能である。ノズル５６ｂの内部の空間は、カバー本体５６ａの内側の空間と連通している。ノズル５６ｂには、集塵機（図示せず）から伸びるホース（図示せず）を取り付けることができる。
【００３２】
下側ベース５８は、略円形状の開口部５８ａを有する略円形状の第１平板部５８ｂと、開口部５８ａの縁に沿って上方に屈曲する半円筒形上の半円筒部５８ｃと、第１平板部５８ｂの外側端部から下方に屈曲した円筒部５８ｄと、円筒部５８ｄの下側端部から外側に屈曲した略円形状の第２平板部５８ｅを備えている。円筒部５８ｄの外周面には、ダイヤル５４の雌ねじ部５４ｂに螺着可能な雄ねじ部５８ｆが形成されている。第２平板部５８ｅの上面には、上方に向けて突出する４つのガイドピン５８ｇが形成されている。ガイドピン５８ｇは、可動カバー５６のガイド孔５６ｇに対応する位置に配置されており、それぞれ対応するガイド孔５６ｇに挿入される。それぞれのガイドピン５８ｇには、圧縮ばね６４が取り付けられている。圧縮ばね６４は、可動カバー５６の平板部５６ｄの下面と、下側ベース５８の第２平板部５８ｅの上面に当接している。圧縮ばね６４は、下側ベース５８に対して可動カバー５６を上方に向けて付勢する。下側ベース５８には、円筒部５８ｄを可動カバー５６の開口部５６ｃに挿入した状態で、雄ねじ部５８ｆにダイヤル５４の雌ねじ部５４ｂを螺着させることで、ダイヤル５４が取り付けられている。この状態で、下側ベース５８は、第１平板部５８ｂと上側ベース５２の平板部６２ｂを締結具６６で締結することによって、上側ベース５２に固定されている。
【００３３】
集塵カバー２では、ダイヤル５４と、下側ベース５８と、圧縮ばね６４によって、集塵カバー２の下方の端部（すなわち、可動カバー５６に取り付けられるブラシの下方の端部）の位置を複数の位置で保持する端部位置調整機構６８が構成されている。
【００３４】
図５に示すように、集塵カバー２をグラインダ４に取り付けた状態では、上側ベース５２と下側ベース５８はカバー取り付け部５０に固定されている。ダイヤル５４は、下側ベース５８の円筒部５８ｄに螺着されており、ユーザが凹溝５４ａに指をかけてスピンドル３２の回転軸周りにダイヤル５４を回転させることで、下側ベース５８に対して上下方向に移動可能である。図５に示すように、ダイヤル５４は、上側当接部５４ｃが上側ベース５２の平板部６２ｂと当接する位置まで、上方に移動可能である。可動カバー５６は、圧縮ばね６４の付勢力によって、ダイヤル５４の下側当接部５４ｄと当接する位置まで押し上げられている。なお、図５の状態における、集塵カバー２の下方の端部（すなわち可動カバー５６に取り付けられるブラシの下方の端部）の位置を、上限位置ともいう。
【００３５】
図６に示すように、ダイヤル５４を回転させて、ダイヤル５４を下側ベース５８に対して下方に移動させると、圧縮ばね６４の付勢力に抗して、可動カバー５６は下方に押し下げられる。なお、図６の状態における、集塵カバー２の下方の端部（すなわち可動カバー５６に取り付けられるブラシの下方の端部）の位置を、下限位置ともいう。この状態から、ダイヤル５４を回転させて、ダイヤル５４を下側ベース５８に対して上方に移動させると、圧縮ばね６４の付勢力によって、可動カバー５６は上方に押し上げられる。このように、ダイヤル５４を回転させて、ダイヤル５４を下側ベース５８に対して上下方向に移動させることで、可動カバー５６を上下方向に移動させることができる。集塵カバー２では、ダイヤル５４を下側ベース５８に対して上下方向の任意の位置で保持することができ、ダイヤル５４と一体的に上下方向に移動する可動カバー５６も、下側ベース５８に対して上下方向の任意の位置で保持することができる。なお、下側ベース５８のガイドピン５８ｇが可動カバー５６のガイド孔５６ｇに挿入されているので、可動カバー５６は下側ベース５８に対して回転することなく、上下方向に移動する。
【００３６】
以上のように、１つまたはそれ以上の実施形態において、グラインダ４（工具の例）は、モータ１４（原動機の例）と、モータ１４に接続されるベベルギヤ３４（動力伝達機構の例）と、モータ１４およびベベルギヤ３４を収容するハウジング４８と、ベベルギヤ３４に接続されており、ダイヤモンドカップ６（先端工具の例）を保持するスピンドル３２（先端工具保持部の例）と、スピンドル３２の少なくとも一部を覆うように、ハウジング４８に取り付けられる集塵カバー２（カバーの例）を備えている。集塵カバー２は、上下方向（スピンドル３２の回転軸に沿った方向）に関して、ハウジング４８に対する集塵カバー２の端部の位置を、上限位置（第１位置の例）と、上限位置とは異なる下限位置（第２位置の例）で保持可能な端部位置調整機構６８を備えている。
【００３７】
１つまたはそれ以上の実施形態において、集塵カバー２（カバーの例）は、モータ１４（原動機の例）と、モータ１４に接続されるベベルギヤ３４（動力伝達機構の例）と、モータ１４およびベベルギヤ３４を収容するハウジング４８と、ベベルギヤ３４に接続されており、ダイヤモンドカップ６（先端工具の例）を保持するスピンドル３２（先端工具保持部の例）を備えるグラインダ４（工具の例）において、スピンドル３２の少なくとも一部を覆うように、ハウジング４８に取り付けられる。集塵カバー２は、上下方向（スピンドル３２の回転軸に沿った方向）に関して、ハウジング４８に対する集塵カバー２の端部の位置を、上限位置（第１位置の例）と、上限位置とは異なる下限位置（第２位置の例）で保持可能な端部位置調整機構６８を備えている。
【００３８】
上記の構成によれば、集塵カバー２が端部位置調整機構６８を備えているので、ハウジング４８に対する集塵カバー２の端部の位置を、上限位置と下限位置の何れでも保持することができる。
【００３９】
１つまたはそれ以上の実施形態において、端部位置調整機構６８は、下側ベース５８の雄ねじ部５８ｆ（雄ねじの例）と、雄ねじ部５８ｆに対応するダイヤル５４の雌ねじ部５４ｂ（雌ねじの例）を備えている。グラインダ４では、雄ねじ部５８ｆと雌ねじ部５４ｂを相対的に回転させることで、ハウジング４８に対する集塵カバー２の端部の位置を変更可能である。
【００４０】
上記の構成によれば、簡素な構成の端部位置調整機構６８によって、ハウジング４８に対する集塵カバー２の端部の位置を上限位置と下限位置のそれぞれで保持することができる。
【００４１】
１つまたはそれ以上の実施形態において、集塵カバー２は、ハウジング４８に取り付けられる上側ベース５２のバンド６０と、スピンドル３２の少なくとも一部を覆う可動カバー５６のカバー本体５６ａをさらに備えている。端部位置調整機構６８は、バンド６０とカバー本体５６ａの間に介在している。
【００４２】
上記の構成によれば、集塵カバー２の端部の近傍の構造を複雑化することなく、ハウジング４８に対する集塵カバー２の端部の位置を上限位置と下限位置のそれぞれで保持可能な端部位置調整機構６８を実現することができる。
【００４３】
１つまたはそれ以上の実施形態において、集塵カバー２は、バンド６０およびカバー本体５６ａに対してスピンドル３２の回転軸周りに回転可能であって、スピンドル３２の回転軸に沿った方向に関して、カバー本体５６ａと一体的に移動するダイヤル５４をさらに備えている。端部位置調整機構６８は、バンド６０とダイヤル５４の間に介在している。
【００４４】
ハウジング４８に対する集塵カバー２の端部の位置を変更する際に、ハウジング４８に対して可動カバー５６を回転させる構成では、ハウジング４８と可動カバー５６が干渉することがある。上記の構成によれば、ハウジング４８に対して、可動カバー５６を回転させることなく、ダイヤル５４を回転させることによって、集塵カバー２の端部の位置を変更することができる。ハウジング４８に対する集塵カバー２の端部の位置を変更する際に、ハウジング４８と可動カバー５６が干渉することを防止することができる。
【００４５】
（実施例２）
図７に示すように、本実施例の集塵カバー１０２は、実施例１の集塵カバー２と同様に、グラインダ４に取り付けて使用される。以下では本実施例の集塵カバー１０２について、実施例１の集塵カバー２と相違する点のみについて詳細に説明する。
【００４６】
図８に示すように、本実施例の集塵カバー１０２は、ベース１０４と、固定カバー１０６と、可動ブラシ１０８を備えている。
【００４７】
ベース１０４は、バンド１１０と、ベースプレート１１２を備えている。バンド１１０は、帯状の平板を円筒形状に湾曲させた湾曲部１１０ａと、湾曲部１１０ａの両端から外側に向けて伸びる一対の平板部１１０ｂと、一対の平板部１１０ｂの間隔を調整する締結具１１０ｃを備えている。ベースプレート１１２は、略円形状の開口部１１２ａを有する略正方形状の平板部１１２ｂと、開口部１１２ａの縁に沿って上方に屈曲する半円筒形状の半円筒部１１２ｃを備えている。バンド１１０とベースプレート１１２は、半円筒部１１２ｃの外周面と湾曲部１１０ａの内周面を溶接することによって、互いに固定されている。集塵カバー１０２は、締結具１１０ｃを緩めてバンド１１０を拡径させた状態で、バンド１１０をベアリングボックス１２のカバー取り付け部５０の外周面に取り付け、その後に締結具１１０ｃを締めてバンド１１０を縮径させることで、ベアリングボックス１２に対して固定される。
【００４８】
固定カバー１０６は、カバー本体１０６ａと、ノズル１０６ｂを備えている。カバー本体１０６ａとノズル１０６ｂは、一体的に形成されている。カバー本体１０６ａは、ベース１０４の下方に配置されている。カバー本体１０６ａは、下向きに開口した皿形の形状に形成されている。カバー本体１０６ａは、４つの締結具１１４を介して、ベース１０４に固定されている。カバー本体１０６ａの下部の外周面には、雄ねじ部１０６ｃが形成されている。カバー本体１０６ａの中央には、略円形状の開口部１０６ｄ（図９、図１０参照）が形成されている。ノズル１０６ｂの内部の空間は、固定カバー１０６の内側の空間と連通している。ノズル１０６ｂには、集塵機（図示せず）から伸びるホース（図示せず）を取り付けることができる。
【００４９】
可動ブラシ１０８は、サポートリング１１６と、ブラシ１１８を備えている。サポートリング１１６は、略円環形状を有している。サポートリング１１６の内周面には、固定カバー１０６の雄ねじ部１０６ｃと螺着可能な雌ねじ部１１６ａが形成されている。サポートリング１１６の下面には、ブラシ１１８を着脱可能に収容する円環状の収容溝１１６ｂ（図９、図１０参照）が形成されている。
【００５０】
集塵カバー１０２では、固定カバー１０６の雄ねじ部１０６ｃと可動ブラシ１０８の雌ねじ部１１６ａによって、集塵カバー１０２の下方の端部（すなわち可動ブラシ１０８の下方の端部）の位置を複数の位置で保持する端部位置調整機構１２０が構成されている。
【００５１】
図９、図１０に示すように、集塵カバー１０２をグラインダ４に取り付けた状態では、ベース１０４と固定カバー１０６はカバー取り付け部５０に固定されている。可動ブラシ１０８は、固定カバー１０６に螺着されている。可動ブラシ１０８は、ユーザがサポートリング１１６を掴んでスピンドル３２の回転軸周りに可動ブラシ１０８を回転させることで、固定カバー１０６に対して上下方向に移動可能である。集塵カバー１０２では、可動ブラシ１０８を固定カバー１０６に対して上下方向の任意の位置で保持することができる。図９は、可動ブラシ１０８を最も上方に移動させた状態を示している。図９の状態における、集塵カバー１０２の下方の端部（すなわち可動ブラシ１０８の下方の端部）の位置を、上限位置ともいう。図１０は、可動ブラシ１０８を下限位置まで移動させた状態を示している。図１０の状態における、集塵カバー１０２の下方の端部（すなわち可動ブラシ１０８の下方の端部）の位置を、下限位置ともいう。
【００５２】
以上のように、１つまたはそれ以上の実施形態において、グラインダ４（工具の例）は、モータ１４（原動機の例）と、モータ１４に接続されるベベルギヤ３４（動力伝達機構の例）と、モータ１４およびベベルギヤ３４を収容するハウジング４８と、ベベルギヤ３４に接続されており、ダイヤモンドカップ６（先端工具の例）を保持するスピンドル３２（先端工具保持部の例）と、スピンドル３２の少なくとも一部を覆うように、ハウジング４８に取り付けられる集塵カバー１０２（カバーの例）を備えている。集塵カバー１０２は、スピンドル３２の回転軸に沿った方向に関して、ハウジング４８に対する集塵カバー１０２の端部の位置を、上限位置（第１位置の例）と、上限位置とは異なる下限位置（第２位置の例）で保持可能な端部位置調整機構１２０を備えている。
【００５３】
１つまたはそれ以上の実施形態において、集塵カバー１０２（カバーの例）は、モータ１４（原動機の例）と、モータ１４に接続されるベベルギヤ３４（動力伝達機構の例）と、モータ１４およびベベルギヤ３４を収容するハウジング４８と、ベベルギヤ３４に接続されており、ダイヤモンドカップ６（先端工具の例）を保持するスピンドル３２（先端工具保持部の例）を備えるグラインダ４（工具の例）において、スピンドル３２の少なくとも一部を覆うように、ハウジング４８に取り付けられる。集塵カバー１０２は、スピンドル３２の回転軸に沿った方向に関して、ハウジング４８に対する集塵カバー１０２の端部の位置を、上限位置（第１位置の例）と、上限位置とは異なる下限位置（第２位置の例）で保持可能な端部位置調整機構１２０を備えている。
【００５４】
上記の構成によれば、集塵カバー１０２が端部位置調整機構１２０を備えているので、集塵カバー１０２の端部の位置を、上限位置と下限位置の何れでも保持しておくことができる。
【００５５】
１つまたはそれ以上の実施形態において、端部位置調整機構１２０は、固定カバー１０６の雄ねじ部１０６ｃ（雄ねじの例）と、雄ねじ部１０６ｃに対応する可動ブラシ１０８の雌ねじ部１１６ａ（雌ねじの例）を備えている。グラインダ４では、雄ねじ部１０６ｃと雌ねじ部１１６ａを相対的に回転させることで、ハウジング４８に対する集塵カバー１０２の端部の位置を変更可能である。
【００５６】
上記の構成によれば、簡素な構成の端部位置調整機構１２０によって、ハウジング４８に対する集塵カバー１０２の端部の位置を上限位置と下限位置のそれぞれで保持することができる。
【００５７】
１つまたはそれ以上の実施形態において、集塵カバー１０２は、ハウジング４８に取り付けられるベース１０４のバンド１１０と、スピンドル３２の少なくとも一部を覆う固定カバー１０６のカバー本体１０６ａと、カバー本体１０６ａに対してスピンドル３２の回転軸周りに回転可能な可動ブラシ１０８（ブラシの例）をさらに備えている。端部位置調整機構１２０は、カバー本体１０６ａと可動ブラシ１０８の間に介在している。
【００５８】
上記の構成によれば、集塵カバー１０２のバンド１１０近傍の構造を複雑化することなく、ハウジング４８に対する集塵カバー１０２の端部の位置を上限位置と下限位置のそれぞれで保持可能な端部位置調整機構１２０を実現することができる。
【００５９】
（実施例３）
図１１に示すように、本実施例の集塵カバー２０２は、実施例１の集塵カバー２と同様に、グラインダ４に取り付けて使用される。以下では本実施例の集塵カバー２０２について、実施例１の集塵カバー２と相違する点のみについて詳細に説明する。
【００６０】
図１２に示すように、本実施例の集塵カバー２０２は、バンド２０４と、可動ベース２０６と、可動カバー２０８を備えている。
【００６１】
バンド２０４は、帯状の平板を円筒形状に湾曲させた湾曲部２０４ａと、湾曲部２０４ａの両端の上部から外側に向けて伸びる一対の平板部２０４ｂと、一対の平板部２０４ｂの間隔を調整する締結具２０４ｃを備えている。湾曲部２０４ａの下部の外周面には、雄ねじ部２０４ｄが形成されている。集塵カバー２０２は、締結具２０４ｃを緩めてバンド２０４を拡径させた状態で、バンド２０４をベアリングボックス１２のカバー取り付け部５０の外周面に取り付け、その後に締結具２０４ｃを締めてバンド２０４を縮径させることで、ベアリングボックス１２に対して固定される。
【００６２】
可動ベース２０６は、略円筒形状の円筒部２０６ａと、円筒部２０６ａの下端から外側に広がる略正方形状の平板部２０６ｂを備えている。円筒部２０６ａの内周面には、バンド２０４の雄ねじ部２０４ｄと螺着可能な雌ねじ部２０６ｃが形成されている。
【００６３】
可動カバー２０８は、カバー本体２０８ａと、ノズル２０８ｂを備えている。カバー本体２０８ａとノズル２０８ｂは、一体的に形成されている。カバー本体２０８ａは、可動ベース２０６の下方に配置されている。カバー本体２０８ａは、下向きに開口した皿形の形状に形成されている。カバー本体２０８ａは、４つの締結具２１０を介して、可動ベース２０６に固定されている。カバー本体２０８ａの下端には、ブラシ２１２を着脱可能に収容する円環状の収容溝２０８ｃ（図１３、図１４参照）が形成されている。カバー本体２０８ａの中央には、略円形状の開口部２０８ｄ（図１３、図１４参照）が形成されている。ノズル２０８ｂの内部の空間は、カバー本体２０８ａの内側の空間と連通している。ノズル２０８ｂには、集塵機（図示せず）から伸びるホース（図示せず）を取り付けることができる。
【００６４】
集塵カバー２０２では、バンド２０４の雄ねじ部２０４ｄと、可動ベース２０６の雌ねじ部２０６ｃによって、集塵カバー２０２の下方の端部（すなわち、ブラシ２１２の下方の端部）の位置を複数の位置で保持する端部位置調整機構２１４が構成されている。
【００６５】
図１３、図１４に示すように、集塵カバー２０２をグラインダ４に取り付けた状態では、バンド２０４はカバー取り付け部５０に固定されている。可動カバー２０８が固定された可動ベース２０６は、バンド２０４に螺着されている。可動ベース２０６と可動カバー２０８は、ユーザが可動ベース２０６をバンド２０４に対してスピンドル３２の回転軸周りに回転させることで、バンド２０４に対して上下方向に移動可能である。なお、可動ベース２０６と可動カバー２０８をバンド２０４に対して回転させる際に、ノズル２０８ｂがグラインダ４のハウジング４８と干渉する場合がある。このような場合には、締結具２０４ｃを緩めてバンド２０４を拡径させて、バンド２０４をカバー取り付け部５０に対して回転可能な状態とし、バンド２０４を掴んで回転させる。これによって、可動ベース２０６および可動カバー２０８をハウジング４８に対して相対的に回転させることなく、バンド２０４を可動ベース２０６および可動カバー２０８に対して相対的に回転させて、可動ベース２０６および可動カバー２０８をバンド２０４に対して上下方向に移動させることができる。集塵カバー２０２では、可動ベース２０６および可動カバー２０８をバンド２０４に対して上下方向の任意の位置で保持することができる。図１３は、可動ベース２０６および可動カバー２０８を最も上方まで移動させた状態を示している。図１３の状態における、集塵カバー２０２の下方の端部（すなわち、ブラシ２１２の下方の端部）の位置を、上限位置ともいう。図１４は、可動ベース２０６および可動カバー２０８を下限位置まで移動させた状態を示している。図１４の状態における、集塵カバー２０２の下方の端部（すなわち、ブラシ２１２の下方の端部）の位置を、下限位置ともいう。
【００６６】
以上のように、１つまたはそれ以上の実施形態において、グラインダ４（工具の例）は、モータ１４（原動機の例）と、モータ１４に接続されるベベルギヤ３４（動力伝達機構の例）と、モータ１４およびベベルギヤ３４を収容するハウジング４８と、ベベルギヤ３４に接続されており、ダイヤモンドカップ６（先端工具の例）を保持するスピンドル３２（先端工具保持部の例）と、スピンドル３２の少なくとも一部を覆うように、ハウジング４８に取り付けられる集塵カバー２０２（カバーの例）を備えている。集塵カバー２０２は、スピンドル３２の回転軸に沿った方向に関して、ハウジング４８に対する集塵カバー２０２の端部の位置を、上限位置（第１位置の例）と、上限位置とは異なる下限位置（第２位置の例）で保持可能な端部位置調整機構２１４を備えている。
【００６７】
１つまたはそれ以上の実施形態において、集塵カバー２０２（カバーの例）は、モータ１４（原動機の例）と、モータ１４に接続されるベベルギヤ３４（動力伝達機構の例）と、モータ１４およびベベルギヤ３４を収容するハウジング４８と、ベベルギヤ３４に接続されており、ダイヤモンドカップ６（先端工具の例）を保持するスピンドル３２（先端工具保持部の例）を備えるグラインダ４（工具の例）において、スピンドル３２の少なくとも一部を覆うように、ハウジング４８に取り付けられる。集塵カバー２０２は、スピンドル３２の回転軸に沿った方向に関して、ハウジング４８に対する集塵カバー２０２の端部の位置を、上限位置（第１位置の例）と、上限位置とは異なる下限位置（第２位置の例）で保持可能な端部位置調整機構２１４を備えている。
【００６８】
上記の構成によれば、集塵カバー２０２が端部位置調整機構２１４を備えているので、ハウジング４８に対する集塵カバー２０２の端部の位置を、上限位置と下限位置の何れでも保持しておくことができる。
【００６９】
１つまたはそれ以上の実施形態において、端部位置調整機構２１４は、バンド２０４の雄ねじ部２０４ｄ（雄ねじの例）と、雄ねじ部２０４ｄに対応する可動ベース２０６の雌ねじ部２０６ｃ（雌ねじの例）を備えている。グラインダ４では、雄ねじ部２０４ｄと雌ねじ部２０６ｃを相対的に回転させることで、ハウジング４８に対する集塵カバー２０２の端部の位置を変更可能である。
【００７０】
上記の構成によれば、簡素な構成の端部位置調整機構２１４によって、ハウジング４８に対する集塵カバー２０２の端部の位置を上限位置と下限位置のそれぞれで保持することができる。
【００７１】
１つまたはそれ以上の実施形態において、集塵カバー２０２は、ハウジング４８に取り付けられるバンド２０４と、スピンドル３２の少なくとも一部を覆う可動カバー２０８のカバー本体２０８ａをさらに備えている。端部位置調整機構２１４は、バンド２０４とカバー本体２０８ａの間に介在している。
【００７２】
上記の構成によれば、集塵カバー２０２の端部の近傍の構造を複雑化することなく、ハウジング４８に対する集塵カバー２０２の端部の位置を上限位置と下限位置のそれぞれで保持可能な端部位置調整機構２１４を実現することができる。
【００７３】
（実施例４）
図１５に示すように、本実施例の集塵カバー３０２は、実施例１の集塵カバー２と同様に、グラインダ４に取り付けて使用される。以下では本実施例の集塵カバー３０２について、実施例１の集塵カバー２と相違する点のみについて詳細に説明する。
【００７４】
図１６に示すように、本実施例の集塵カバー３０２は、バンド３０４と、ベースプレート３０６と、カバー本体３０８と、ノズル３１０と、伸縮筒３１２を備えている。
【００７５】
バンド３０４は、帯状の平板を円筒形状に湾曲させた湾曲部３０４ａと、湾曲部３０４ａの両端から外側に向けて伸びる一対の平板部３０４ｂと、一対の平板部３０４ｂの間隔を調整する締結具３０４ｃを備えている。ベースプレート３０６は、略円形状の開口部３０６ａを有する略正方形状の平板部３０６ｂと、開口部３０６ａの縁に沿って上方に屈曲する半円筒形状の半円筒部３０６ｃを備えている。バンド３０４とベースプレート３０６は、半円筒部３０６ｃの外周面と湾曲部３０４ａの内周面を溶接することによって、互いに固定されている。集塵カバー３０２は、締結具３０４ｃを緩めてバンド３０４を拡径させた状態で、バンド３０４をベアリングボックス１２のカバー取り付け部５０の外周面に取り付け、その後に締結具３０４ｃを締めてバンド３０４を縮径させることで、ベアリングボックス１２に対して固定される。
【００７６】
カバー本体３０８とノズル３１０は、一体的に形成されている。カバー本体３０８は、ベースプレート３０６の下方に配置されている。カバー本体３０８は、下向きに開口した皿形の形状に形成されている。カバー本体３０８は、４つの締結具３１４を介して、ベースプレート３０６に固定されている。カバー本体３０８の中央には、略円形状の開口部３０８ａ（図１７、図１８参照）が形成されている。カバー本体３０８には、開口部３０８ａの縁に沿って上方に屈曲する半円筒形状の半円筒部３０８ｂが形成されている。ノズル３１０の内部の空間は、カバー本体３０８の内側の空間と連通している。ノズル３１０には、集塵機（図示せず）から伸びるホース（図示せず）を取り付けることができる。
【００７７】
伸縮筒３１２は、カバー本体３０８の下端に取り付けられている。伸縮筒３１２は、例えば樹脂製の部材であって、上下方向に伸縮が可能な略円筒形状の蛇腹構造を有している。伸縮筒３１２は、最も伸長させた状態と最も縮小させた状態の間で、任意の伸縮状態を保持することができる。なお、伸縮筒３１２は、蛇腹構造の代わりに、入れ子管構造などの他の伸縮構造を有していてもよい。伸縮筒３１２の下端には、ブラシ（図示せず）を着脱可能に収容する円環状の収容溝３１２ａ（図１７、図１８参照）が形成されている。
【００７８】
集塵カバー３０２では、伸縮筒３１２によって、集塵カバー３０２の下方の端部（すなわち、伸縮筒３１２に取り付けられるブラシの下方の端部）の位置を複数の位置で保持する端部位置調整機構３１６が構成されている。
【００７９】
図１７、図１８に示すように、集塵カバー３０２をグラインダ４に取り付けた状態では、バンド３０４と、ベースプレート３０６と、カバー本体３０８と、ノズル３１０は、カバー取り付け部５０に固定されている。伸縮筒３１２を上下方向に伸縮させることで、ブラシ（図示せず）の上下方向の位置を調整することができる。図１７は、伸縮筒３１２を最も伸長させた状態を示している。図１７の状態における、集塵カバー３０２の下方の端部（すなわち、伸縮筒３１２に取り付けられるブラシの下方の端部）の位置を、下限位置ともいう。図１８は、伸縮筒３１２を最も縮小させた状態を示している。図１８の状態における、集塵カバー３０２の下方の端部（すなわち、伸縮筒３１２に取り付けられるブラシの下方の端部）の位置を、上限位置ともいう。
【００８０】
以上のように、１つまたはそれ以上の実施形態において、グラインダ４（工具の例）は、モータ１４（原動機の例）と、モータ１４に接続されるベベルギヤ３４（動力伝達機構の例）と、モータ１４およびベベルギヤ３４を収容するハウジング４８と、ベベルギヤ３４に接続されており、ダイヤモンドカップ６（先端工具の例）を保持するスピンドル３２（先端工具保持部の例）と、スピンドル３２の少なくとも一部を覆うように、ハウジング４８に取り付けられる集塵カバー３０２を備えている。集塵カバー３０２は、スピンドル３２の回転軸に沿った方向に関して、ハウジング４８に対する集塵カバー３０２の端部の位置を、上限位置（第１位置の例）と、上限位置とは異なる下限位置（第２位置の例）で保持可能な端部位置調整機構３１６を備えている。
【００８１】
１つまたはそれ以上の実施形態において、集塵カバー３０２は、モータ１４（原動機の例）と、モータ１４に接続されるベベルギヤ３４（動力伝達機構の例）と、モータ１４およびベベルギヤ３４を収容するハウジング４８と、ベベルギヤ３４に接続されており、ダイヤモンドカップ６（先端工具の例）を保持するスピンドル３２（先端工具保持部の例）を備えるグラインダ４（工具の例）において、スピンドル３２の少なくとも一部を覆うように、ハウジング４８に取り付けられる。集塵カバー３０２は、スピンドル３２の回転軸に沿った方向に関して、ハウジング４８に対する集塵カバー３０２の端部の位置を、上限位置（第１位置の例）と、上限位置とは異なる下限位置（第２位置の例）で保持可能な端部位置調整機構３１６を備えている。
【００８２】
上記の構成によれば、集塵カバー３０２が端部位置調整機構３１６を備えているので、ハウジング４８に対する集塵カバー３０２の端部の位置を、上限位置と下限位置の何れでも保持しておくことができる。
【００８３】
１つまたはそれ以上の実施形態において、端部位置調整機構３１６は、上下方向（スピンドル３２の回転軸に沿った方向）に伸縮可能な伸縮筒３１２（伸縮機構の例）である。集塵カバー３０２は、ハウジング４８に取り付けられるバンド３０４と、スピンドル３２の少なくとも一部を覆うカバー本体３０８と、伸縮筒３１２を介してカバー本体３０８に取り付けられるブラシをさらに備えている。
【００８４】
上記の構成によれば、簡素な構成の端部位置調整機構３１６によって、ハウジング４８に対する集塵カバー３０２の端部の位置を上限位置と下限位置のそれぞれで保持することができる。
【００８５】
上記の各実施例では、電動工具がグラインダ４であり、先端工具がダイヤモンドカップ６であり、先端工具保持部がスピンドル３２であり、カバーが集塵カバー２，１０２，２０２である場合を例として説明したが、電動工具は他の種類の電動工具であってもよいし、先端工具は他の種類の先端工具であってもよいし、先端工具保持部は他の種類の先端工具保持部であってもよいし、カバーは他の種類のカバーであってもよい。また、上記の各実施例では、電動工具であるグラインダ４が、電源コード２４から交流電力を供給されて動作する構成について説明したが、これとは異なり、電動工具であるグラインダ４は、本体ハウジング８に取り付けられたバッテリから直流電力を供給されて動作する構成としてもよい。
【００８６】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００８７】
２        ：集塵カバー
４        ：グラインダ
６        ：ダイヤモンドカップ
８        ：本体ハウジング
１０      ：ギヤハウジング
１２      ：ベアリングボックス
１４      ：モータ
１６      ：出力軸
１８      ：ベアリング
２０      ：ベアリング
２２      ：電源回路
２４      ：電源コード
２６      ：スイッチ
２８      ：第１ベベルギヤ
３０      ：第２ベベルギヤ
３２      ：スピンドル
３４      ：ベベルギヤ
３６      ：ベアリング
３８      ：シャフトロック
４０      ：ベアリング
４２      ：ベアリング
４４      ：インナフランジ
４６      ：アウタフランジ
４８      ：ハウジング
５０      ：カバー取り付け部
５２      ：上側ベース
５４      ：ダイヤル
５４ａ    ：凹溝
５４ｂ    ：雌ねじ部
５４ｃ    ：上側当接部
５４ｄ    ：下側当接部
５６      ：可動カバー
５６ａ    ：カバー本体
５６ｂ    ：ノズル
５６ｃ    ：開口部
５６ｄ    ：平板部
５６ｅ    ：円錐台部
５６ｆ    ：円筒部
５６ｇ    ：ガイド孔
５８      ：下側ベース
５８ａ    ：開口部
５８ｂ    ：第１平板部
５８ｃ    ：半円筒部
５８ｄ    ：円筒部
５８ｅ    ：第２平板部
５８ｆ    ：雄ねじ部
５８ｇ    ：ガイドピン
６０      ：バンド
６０ａ    ：湾曲部
６０ｂ    ：平板部
６０ｃ    ：締結具
６２      ：ベースプレート
６２ａ    ：開口部
６２ｂ    ：平板部
６２ｃ    ：半円筒部
６４      ：圧縮ばね
６６      ：締結具
６８      ：端部位置調整機構
１０２    ：集塵カバー
１０４    ：ベース
１０６    ：固定カバー
１０６ａ  ：カバー本体
１０６ｂ  ：ノズル
１０６ｃ  ：雄ねじ部
１０６ｄ  ：開口部
１０８    ：可動ブラシ
１１０    ：バンド
１１０ａ  ：湾曲部
１１０ｂ  ：平板部
１１０ｃ  ：締結具
１１２    ：ベースプレート
１１２ａ  ：開口部
１１２ｂ  ：平板部
１１２ｃ  ：半円筒部
１１４    ：締結具
１１６    ：サポートリング
１１６ａ  ：雌ねじ部
１１６ｂ  ：収容溝
１１８    ：ブラシ
１２０    ：端部位置調整機構
２０２    ：集塵カバー
２０４    ：バンド
２０４ａ  ：湾曲部
２０４ｂ  ：平板部
２０４ｃ  ：締結具
２０４ｄ  ：雄ねじ部
２０６    ：可動ベース
２０６ａ  ：円筒部
２０６ｂ  ：平板部
２０６ｃ  ：雌ねじ部
２０８    ：可動カバー
２０８ａ  ：カバー本体
２０８ｂ  ：ノズル
２０８ｃ  ：収容溝
２０８ｄ  ：開口部
２１０    ：締結具
２１２    ：ブラシ
２１４    ：端部位置調整機構
３０２    ：集塵カバー
３０４    ：バンド
３０４ａ  ：湾曲部
３０４ｂ  ：平板部
３０４ｃ  ：締結具
３０６    ：ベースプレート
３０６ａ  ：開口部
３０６ｂ  ：平板部
３０６ｃ  ：半円筒部
３０８    ：カバー本体
３０８ａ  ：開口部
３０８ｂ  ：半円筒部
３１０    ：ノズル
３１２    ：伸縮筒
３１２ａ  ：収容溝
３１４    ：締結具
３１６    ：端部位置調整機構
【図１】
2020023020.tif 000003
【図２】
2020023020.tif 000004
【図３】
2020023020.tif 000005
【図４】
2020023020.tif 000006
【図５】
2020023020.tif 000007
【図６】
2020023020.tif 000008
【図７】
2020023020.tif 000009
【図８】
2020023020.tif 000010
【図９】
2020023020.tif 000011
【図１０】
2020023020.tif 000012
【図１１】
2020023020.tif 000013
【図１２】
2020023020.tif 000014
【図１３】
2020023020.tif 000015
【図１４】
2020023020.tif 000016
【図１５】
2020023020.tif 000017
【図１６】
2020023020.tif 000018
【図１７】
2020023020.tif 000019
【図１８】
2020023020.tif 000020